【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
ｅノードＢと時分割同時（ＴＤＤ）通信しているユーザ機器（ＵＥ）によって実行されるワイヤレス通信の方法であって、
前記ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームが後続のフレーム中でアップリンクサブフレームからダウンリンクサブフレームに変更されるべきであることを示す再構成メッセージを受信することと
を備える、方法。
【請求項２】
前記再構成メッセージを受信することが、前記ＵＥにおいて物理レイヤシグナリングを受信することを備えるか、または、
ＨＡＲＱ肯定応答タイミングが、前記初期ＵＬ−ＤＬ構成と再構成されたＵＬ−ＤＬ構成との間で不変であるか、または、
前記フレキシブルサブフレームがアップリンクサブフレームとして初期に構成されるか、または、前記方法が、
前記ｅノードＢから前記初期ＵＬ−ＤＬ構成を受信すること
をさらに備え、特に、
前記初期ＵＬ−ＤＬ構成が１つのシステム情報ブロック（ＳＩＢ）中で受信される、請求項１に記載の方法。
【請求項３】
前記再構成メッセージが、前記少なくとも１つのフレキシブルサブフレームに関する無効なリソースブロック割振りを有する擬似―アップリンク許可を備え、特に、
前記無効なリソースブロック割振りが、アップリンク許可に関するリソース指示値（ＲＩＶ）の最大値を超えるＲＩＶを備えるか、または、特に、
前記再構成メッセージを受信することが、前記フレキシブルサブフレームのうちの第２のフレキシブルサブフレームに関する第２の擬似―アップリンク許可を受信することを備える、請求項１に記載の方法。
【請求項４】
前記初期ＵＬ−ＤＬ構成が各フレーム内の最大数のアップリンクサブフレームを備える、請求項１に記載の方法。
【請求項５】
前記最大数のアップリンクサブフレームがシステム情報ブロック（ＳＩＢ）中で受信されるか、または、前記方法が、
前記最大数のアップリンクサブフレームのＵＬ−ＤＬ構成に基づいて、サブフレームのセット内のアップリンクＨＡＲＱ肯定応答位置を決定すること
をさらに備える、請求項４に記載の方法。
【請求項６】
前記初期ＵＬ−ＤＬ構成が各フレーム内の最小数のアップリンクサブフレームをさらに備え、特に、
前記最小数のアップリンクサブフレームが、前記最小数のアップリンクサブフレームを識別するビットマップを使用して受信されるか、または、特に、
前記最小数のアップリンクサブフレームが、異なる最小アップリンクサブフレームの半静的セット中の最小アップリンクサブフレームを識別する構成インデックスを使用して送信されるか、または前記方法が、特に、
前記最小数のアップリンクサブフレームのＵＬ−ＤＬ構成に基づいて、サブフレームのセット内のダウンリンクＨＡＲＱ肯定応答位置を決定すること
をさらに備える、請求項４に記載の方法。
【請求項７】
マルチプルの時分割同時（ＴＤＤ）アップリンクダウンリンク（ＵＬ−ＤＬ）構成のうちの１つを使用して動作するように構成されたワイヤレス通信ユーザ機器（ＵＥ）装置であって、
ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームがアップリンクサブフレームからダウンリンクサブフレームに変更されるべきであることを示す再構成メッセージを受信することと、
を行うように構成された少なくとも１つのプロセッサと、
前記少なくとも１つのプロセッサに結合されたメモリと
を備える、装置。
【請求項８】
前記初期ＵＬ−ＤＬ構成がシステム情報ブロック（ＳＩＢ）中で受信されるか、または、
前記再構成メッセージが、前記少なくとも１つのフレキシブルサブフレームに関する無効なリソースブロック割振りを有する擬似―アップリンク許可を備え、特に、
前記無効なリソースブロック割振りが、アップリンク許可に関するリソース指示値（ＲＩＶ）の最大値を超えるＲＩＶを備える、請求項７に記載の装置。
【請求項９】
前記再構成メッセージが、再構成されるべきである前記フレキシブルサブフレームを識別する無線リソース制御（ＲＲＣ）メッセージングの１つまたは複数を備える、請求項１に記載の方法または請求項７に記載の装置。
【請求項１０】
マルチプルの時分割同時（ＴＤＤ）アップリンクダウンリンク（ＵＬ−ＤＬ）構成の１つを使用して動作するように構成されたワイヤレス通信ユーザ機器（ＵＥ）装置であって、
ｅノードＢとのＴＤＤ通信に関する初期アップリンクダウンリンク（ＵＬ−ＤＬ）構成を受信するための手段と、
フレキシブルサブフレームとして前記初期ＵＬ−ＤＬ構成を使用して送信される各フレーム内の１つまたは複数のサブフレームを識別するための手段と、
前記少なくとも１つのフレキシブルサブフレームがアップリンクサブフレームからダウンリンクサブフレームに変更されるべきであることを示す再構成メッセージを受信するための手段と
を備える、装置。
【請求項１１】
前記再構成メッセージが、前記ＵＥにおいて受信される物理レイヤシグナリングを備える、請求項７または１０に記載の装置。
【請求項１２】
前記再構成メッセージが、前記少なくとも１つのフレキシブルサブフレームに関する無効なリソースブロック割振りを有する擬似―アップリンク許可を備える、請求項１０に記載の装置。
【請求項１３】
ｅノードＢと時分割同時（ＴＤＤ）通信しているユーザ機器（ＵＥ）によって実行されるワイヤレス通信の方法であって、
前記ｅノードＢとのＴＤＤに関する初期アップリンクダウンリンク（ＵＬ−ＤＬ）構成を受信することと、
前記初期ＵＬ−ＤＬ構成を異なるＵＬ−ＤＬ構成に再構成するための擬似―アップリンク許可を受信することと
を備える、方法。
【請求項１４】
前記擬似―アップリンク許可が第１のフレキシブルサブフレームに関する第１の擬似―アップリンク許可を備え、ここにおいて、前記方法が、第２のフレキシブルサブフレームに関する第２の擬似―アップリンク許可を受信することをさらに備えるか、または、
前記擬似―アップリンク許可が、前記少なくとも１つのフレキシブルサブフレームに関する無効なリソースブロック割振りを備え、特に、
前記無効なリソースブロック割振りが、アップリンク許可に関するリソース指示値（ＲＩＶ）の最大値を超えるＲＩＶを備える、請求項１３に記載の方法。
【請求項１５】
コンピュータ上で実行されると、請求項１〜６または９のいずれか一項に記載の方法を実行するための命令を備える、コンピュータプログラム。
【手続補正２】
【補正対象書類名】明細書
【補正対象項目名】００９２
【補正方法】変更
【補正の内容】
【００９２】
[0107]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ｅノードＢと時分割同時（ＴＤＤ）通信しているユーザ機器（ＵＥ）によって実行されるワイヤレス通信の方法であって、
前記ｅノードＢとのＴＤＤ通信に関する初期アップリンクダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームが後続のフレーム中でアップリンクサブフレームからダウンリンクサブフレームに変更されるべきであることを示す再構成メッセージを受信することと
を備える、方法。
［Ｃ２］
前記再構成メッセージを受信することが、前記ＵＥにおいて物理レイヤシグナリングを受信することを備える、Ｃ１に記載の方法。
［Ｃ３］
前記再構成メッセージが、前記少なくとも１つのフレキシブルサブフレームに関する無効なリソースブロック割振りを有する擬似―アップリンク許可を備える、Ｃ１に記載の方法。
［Ｃ４］
前記無効なリソースブロック割振りが、アップリンク許可に関するリソース指示値（ＲＩＶ）の最大値を超えるＲＩＶを備える、Ｃ３に記載の方法。
［Ｃ５］
前記再構成メッセージを受信することが、前記フレキシブルサブフレームのうちの第２のフレキシブルサブフレームに関する第２の擬似―アップリンク許可を受信することを備える、Ｃ３に記載の方法。
［Ｃ６］
ＨＡＲＱ肯定応答タイミングが、前記初期ＵＬ−ＤＬ構成と再構成されたＵＬ−ＤＬ構成との間で不変である、Ｃ１に記載の方法。
［Ｃ７］
前記初期ＵＬ−ＤＬ構成が各フレーム内の最大数のアップリンクサブフレームを備える、Ｃ１に記載の方法。
［Ｃ８］
前記最大数のアップリンクサブフレームのＵＬ−ＤＬ構成に基づいて、サブフレームのセット内のアップリンクＨＡＲＱ肯定応答位置を決定すること
をさらに備える、Ｃ７に記載の方法。
［Ｃ９］
前記最大数のアップリンクサブフレームがシステム情報ブロック（ＳＩＢ）中で受信される、Ｃ７に記載の方法。
［Ｃ１０］
前記初期ＵＬ−ＤＬ構成が各フレーム内の最小数のアップリンクサブフレームをさらに備える、Ｃ７に記載の方法。
［Ｃ１１］
前記最小数のアップリンクサブフレームのＵＬ−ＤＬ構成に基づいて、サブフレームのセット内のダウンリンクＨＡＲＱ肯定応答位置を決定すること
をさらに備える、Ｃ１０に記載の方法。
［Ｃ１２］
前記最小数のアップリンクサブフレームが、前記最小数のアップリンクサブフレームを識別するビットマップを使用して受信される、Ｃ１０に記載の方法。
［Ｃ１３］
前記最小数のアップリンクサブフレームが、異なる最小アップリンクサブフレームの半静的セット中の最小アップリンクサブフレームを識別する構成インデックスを使用して送信される、Ｃ１０に記載の方法。
［Ｃ１４］
前記ｅノードＢから前記初期ＵＬ−ＤＬ構成を受信すること
をさらに備える、Ｃ１に記載の方法。
［Ｃ１５］
前記初期ＵＬ−ＤＬ構成が１つのシステム情報ブロック（ＳＩＢ）中で受信される、Ｃ１４に記載の方法。
［Ｃ１６］
前記フレキシブルサブフレームがアップリンクサブフレームとして初期に構成される、Ｃ１に記載の方法。
［Ｃ１７］
前記再構成メッセージが、再構成されるべきである前記フレキシブルサブフレームを識別する無線リソース制御（ＲＲＣ）メッセージングの１つまたは複数を備える、Ｃ１に記載の方法。
［Ｃ１８］
マルチプルの時分割同時（ＴＤＤ）アップリンクダウンリンク（ＵＬ−ＤＬ）構成のうちの１つを使用して動作するように構成されたワイヤレス通信ユーザ機器（ＵＥ）装置であって、
ｅノードＢとのＴＤＤ通信に関する初期アップリンクーダウンリンク（ＵＬ−ＤＬ）構成を受信することと、
フレキシブルサブフレームとして前記初期ＵＬ−ＤＬ構成を使用して送信される各フレーム内の１つまたは複数のサブフレームを識別することと、
前記少なくとも１つのフレキシブルサブフレームがアップリンクサブフレームからダウンリンクサブフレームに変更されるべきであることを示す再構成メッセージを受信することと、
を行うように構成された少なくとも１つのプロセッサと、
前記少なくとも１つのプロセッサに結合されたメモリと
を備える、装置。
［Ｃ１９］
前記再構成メッセージが、前記ＵＥにおいて受信される物理レイヤシグナリングを備える、Ｃ１８に記載の装置。
［Ｃ２０］
前記再構成メッセージが、前記少なくとも１つのフレキシブルサブフレームに関する無効なリソースブロック割振りを有する擬似―アップリンク許可を備える、Ｃ１８に記載の装置。
［Ｃ２１］
前記無効なリソースブロック割振りが、アップリンク許可に関するリソース指示値（ＲＩＶ）の最大値を超えるＲＩＶを備える、Ｃ２０に記載の装置。
［Ｃ２２］
前記初期ＵＬ−ＤＬ構成がシステム情報ブロック（ＳＩＢ）中で受信される、Ｃ１８に記載の装置。
［Ｃ２３］
前記再構成メッセージが、再構成されるべきである前記フレキシブルサブフレームを識別する無線リソース制御（ＲＲＣ）メッセージングの１つまたは複数を備える、Ｃ１８に記載の装置。
［Ｃ２４］
マルチプルの時分割同時（ＴＤＤ）アップリンクダウンリンク（ＵＬ−ＤＬ）構成の１つを使用して動作するように構成されたワイヤレス通信ユーザ機器（ＵＥ）装置であって、
ｅノードＢとのＴＤＤ通信に関する初期アップリンクーダウンリンク（ＵＬ−ＤＬ）構成を受信するための手段と、
フレキシブルサブフレームとして前記初期ＵＬ−ＤＬ構成を使用して送信される各フレーム内の１つまたは複数のサブフレームを識別するための手段と、
前記少なくとも１つのフレキシブルサブフレームがアップリンクサブフレームからダウンリンクサブフレームに変更されるべきであることを示す再構成メッセージを受信するための手段と
を備える、装置。
［Ｃ２５］
前記再構成メッセージが、前記ＵＥにおいて受信される物理レイヤシグナリングを備える、Ｃ２４に記載の装置。
［Ｃ２６］
前記再構成メッセージが、前記少なくとも１つのフレキシブルサブフレームに関する無効なリソースブロック割振りを有する擬似―アップリンク許可を備える、Ｃ２４に記載の装置。
［Ｃ２７］
ｅノードＢと時分割同時（ＴＤＤ）通信しているユーザ機器（ＵＥ）によって実行されるワイヤレス通信の方法であって、
前記ｅノードＢとのＴＤＤに関する初期アップリンクーダウンリンク（ＵＬ−ＤＬ）構成を受信することと、
前記初期ＵＬ−ＤＬ構成を異なるＵＬ−ＤＬ構成に再構成するための擬似―アップリンク許可を受信することと
を備える、方法。
［Ｃ２８］
前記擬似―アップリンク許可が、前記少なくとも１つのフレキシブルサブフレームに関する無効なリソースブロック割振りを備える、Ｃ２７に記載の方法。
［Ｃ２９］
前記無効なリソースブロック割振りが、アップリンク許可に関するリソース指示値（ＲＩＶ）の最大値を超えるＲＩＶを備える、Ｃ２８に記載の方法。
［Ｃ３０］
前記擬似―アップリンク許可が第１のフレキシブルサブフレームに関する第１の擬似―アップリンク許可を備え、ここにおいて、前記方法が、第２のフレキシブルサブフレームに関する第２の擬似―アップリンク許可を受信することをさらに備える、Ｃ２７に記載の方法。